(57)【要約】【課題】サイト内で動画クリップの投稿、閲覧の動機付けを高める投稿サイトを提供する。【解決手段】端末から動画データをアップロードして動画クリップに変換する投稿手段を備える。そして、動画クリップの閲覧履歴を記憶する履歴計算手段を備える。また、動画クリップを閲覧するためのアドレスを配信するアドレス配信手段についても備える。さらに、アドレスを配信された動画クリップを閲覧可能な時間を指定する時間指定手段とを備える。この上で、アドレス配信手段は、所定の期間毎に、閲覧履歴にない動画データを閲覧するための前記アドレスを配信する。【選択図】図２
2010211513.tif 000002
【特許請求の範囲】
【請求項１】
端末から動画データをアップロードして動画クリップに変換する投稿手段と、
前記動画クリップの閲覧履歴を記憶する履歴計算手段と、
前記動画クリップを閲覧するためのアドレスを配信するアドレス配信手段と、
前記アドレスを配信された動画クリップに閲覧可能な時間を設定する時間設定手段とを備えた
ことを特徴とする動画投稿システム。
【発明の詳細な説明】
【技術分野】
【０００１】
本発明は、動画投稿システム、特にサイト内で投稿、閲覧数を増やす動機付けを備えた動画投稿システムに関する。
【背景技術】
【０００２】
近年、動画の投稿システムを用いた、動画の投稿、閲覧サービスが盛んになっている。
これらの投稿、閲覧サービスにおいては、通常、投稿するユーザー（以下、投稿ユーザーという。）がビデオカメラ等で撮影した画像ファイルを、サーバに動画ファイルの説明の文章（以下、コメントという。）とともにアップロードする。
そして、サーバでは、この動画ファイルを配信用に圧縮等した「動画クリップ」に変換して、ウェブからアクセスできるように記憶する。この動画を、コメントを基にユーザーが検索したり、ウェブ上の他の箇所からリンクを貼ったりして、アクセスすることができる。
動画にアクセスしたユーザー（以下、閲覧ユーザーという。）は、ウェブブラウザから、ストリーミング配信等により、動画クリップにアクセスできる。
【０００３】
ここで、このような従来の投稿、閲覧サービスを実現する投稿システムについて、特許文献１を参照して説明する（以下、従来技術１とする。）。
従来技術１の投稿システムにおいては、投稿ユーザーから投稿されサーバに格納された動画について、システム管理者が簡単な操作で視聴者への配信中止等の各種処置を実施することができるという特徴がある。
このため、違法動画を簡単に削除して、違法な動画の投稿を抑制することができる。
【先行技術文献】
【特許文献】
【０００４】
【特許文献１】特開２００８−２１９８４２号公報
【発明の概要】
【発明が解決しようとする課題】
【０００５】
しかしながら、従来技術１の投稿システムは、違法動画を簡単に削除することはできるものの、各投稿ユーザーの投稿の動機を向上させ、閲覧ユーザーのサーバへアクセスする動機を向上させる機能については開示されていなかった。
【０００６】
本発明は、このような状況に鑑みてなされたものであり、上述の課題を解消することを課題とする。
【課題を解決するための手段】
【０００７】
本発明の動画投稿システムは、端末から動画データをアップロードして動画クリップに変換する投稿手段と、前記動画クリップの閲覧履歴を記憶する履歴計算手段と、前記動画クリップを閲覧するためのアドレスを配信するアドレス配信手段と、前記アドレスを配信された動画クリップに閲覧可能な時間を設定する時間設定手段とを備えたことを特徴とする。
【発明の効果】
【０００８】
本発明によれば、閲覧ユーザーが設定した時間にのみ閲覧できる動画クリップを用いることで、投稿ユーザーの投稿の動機を向上させ、閲覧ユーザーのサーバへのアクセスを向上させる投稿システムを提供することができる。
【図面の簡単な説明】
【０００９】
【図１】本発明の実施の形態に係る投稿システムＸのシステム構成図である。
【図２】本発明の実施の形態に係るサーバ２０の制御構成を示すブロック図である。
【図３】本発明の実施の形態に係るユーザーデータベース２２７の構成例を示す概念図である。
【図４】本発明の実施の形態に係る投稿・配信処理のフローチャートである。
【図５】本発明の実施の形態に係る動画クリップ閲覧時の画面例である。
【図６】本発明の実施の形態に係るおはようメッセージ動画配信用の動画クリップ閲覧時の画面例である。
【発明を実施するための形態】
【００１０】
＜実施の形態＞
〔投稿システムＸの構成〕
図１を参照すると、本発明の実施の形態に係る投稿システムＸ（動画投稿システム）は、同様の構成の端末１０（端末装置）と、サーバ２０とが、インターネットやイントラネット等であるネットワーク５を介して接続されている。
ネットワーク５は、ＬＡＮ、無線ＬＡＮ、ＷｉＭＡＸ、ＰＬＣ、ｃ．ｌｉｎｋ等のイントラネット／インターネット等のＩＰネットワーク等であり、外部のネットワークと接続することもできる。
端末１０は、同様の構成の、ＰＣ／ＡＴ互換機規格等のＰＣ、携帯電話、スマートフォンやＰＤＡ等の携帯端末等であり、汎用性をもった計算機である。端末１０は、例えば、ＷＷＷ（ワールド・ワイド・ウェブ）ブラウザを備えており、ｈｔｔｐプロトコル等にて、サーバ２０のＨＴＭＬ（ハイパー・テキスト・マークアップ・ランゲージ）やｃＨＴＭＬ（コンパクトＨＴＭＬ）、画像、音声等のデータを記憶したファイルを含むウェブサイトにアクセスして閲覧することができる。また、端末１０は電子メールの受信機能を備えており、ＵＲＬ（ユニフォーム・リソース・ロケータ）のような形式のＷＷＷのウェブサイトのアドレスが記載されたメールを受信可能である。
サーバ２０は、汎用のＰＣ／ＡＴ互換機を用いたＰＣ（パーソナル・コンピュータ）サーバ、ＭＡＣ規格機、専用機等により構成されるＷＷＷサーバや電子メールサーバである。
【００１１】
〔サーバ２０の構成〕
次に、図２を参照して、本発明の実施の形態に係るサーバ２０の制御構成をさらに詳しく説明する。
サーバ２０は、ＣＰＵ（中央処理装置）等である制御部２００と、ＲＡＭ（主記憶装置）やＲＯＭやフラッシュメモリやＨＤＤ（補助記憶装置）やＳＳＤ（ソリッド・ステート・ディスク）等である記憶部２１０とが、ＲＡＭコントローラやビデオコントローラや各種Ｉ／Ｏ等であるチップセット２３０と接続されている。チップセット２３０には、ネットワーク５に接続するためのＬＡＮインターフェイス等であるネットワーク接続部２４０も接続している。
また、サーバ２０には、液晶ディスプレイ等である表示部２５０と、キーボードやテンキーやポインティングデバイス（マウス、タッチパッド等）等である入力部２６０とを備えている。
なお、ＡＭＤ社製のＣＰＵやインテル社製のＣＰＵであるＣｏｒｅ  ｉ７等では、チップセットにはＲＡＭコントローラを内蔵せずに、ＣＰＵに内蔵している。また、チップセット２３０と表示部２５０との間に、ＰＣＩ−Ｅｘｐｒｅｓバスで接続するビデオカード等を備えていてもよい。
【００１２】
また、サーバ２０には、記憶部２１０のＨＤＤやフラッシュメモリドライブ等には、ウィンドウズ（登録商標）やＬｉｎｕｘ（登録商標）等の各種ＯＳがインストールされている。このＯＳ上では各種サーバのサービス（デーモン）と、動画投稿を実現するための各種プロセス（プログラム）が動作する。これらのサービスやプロセスは、記憶部２１０のＨＤＤやＳＳＤ等からＲＡＭにロードされ、制御部２００により実行する。また、記憶部２１０には、各種データベースを記憶している。
これらの、記憶部２１０に記憶しているサービスやプロセスやデータベースとしては、ウェブ／メールサーバ部２２１（ウェブサーバ手段）と、ＵＲＬ配信部２２２（アドレス配信手段）と、時間指定部２２３（時間設定手段）と、履歴計算部２２４（履歴計算手段）と、投稿／リクエスト部２２５（投稿手段）と、マイニング部２２６（履歴検索手段）と、ユーザーデータベース２２７と、広告データベース２２８と、画像データベース２２９とを記憶している。
【００１３】
ウェブ／メールサーバ部２２１は、ＷＷＷサーバや電子メール送信サーバのサービス（デーモン）等のプログラムである。
このウェブ／メールサーバ部２２１は、ＣＧＩ（コモン・ゲートウェイ・インターフェイス）やデータベースモジュールを用いて、以下のプロセスやデータベースにアクセス可能である。
【００１４】
ＵＲＬ配信部２２２は、後述する「おはようメッセージ動画配信」に用いる個人用のＵＲＬ（アドレス）である「ユニークＵＲＬ」を作成して配信するための部位である。
ＵＲＬ配信部２２２は、このユニークＵＲＬを所定期間毎に更新して作成する。この所定期間としては、例えば、毎日更新して作成することが好適である。
【００１５】
時間指定部２２３は、ユーザーがおはようメッセージ動画配信を行う際の時間を設定するためのＣＧＩやウェブページ等である。
【００１６】
履歴計算部２２４は、後述するように、ユーザーが閲覧した映像クリップの履歴をユーザーデータベース２２７に記憶し、ランキング計算を行う部位である。
さらに、おはようメッセージ動画の動画クリップから、人気の高いものを集めてＤＶＤ等をオーサリングするためのデータを作成可能である。
【００１７】
投稿／リクエスト部２２５は、ユーザーが投稿した動画ファイルである動画クリップの投稿を行うためのＣＧＩやサーブレットやウェブモジュール等である。
【００１８】
マイニング部２２６は、動画クリップのコメントに関して、自然言語処理プログラム等を用いてカテゴリー分けや情報抽出を行うプログラムである。
また、ユーザーの視聴履歴や、後述する視聴ランキングの計算結果から、行動ターゲッティング等の人工知能的手法やベイジアンネットワーク等の統計的手法を用いてデータマイニングを行い、ユーザーに配信するおはようメッセージ動画を選択することができる。
また、ＨＭＭ（隠れマルコフモデル）を用いた音声認識プログラムや、サポートベクターマシンを用いた動画特徴抽出プログラムを搭載しており、ユーザーの投稿した動画が後述するような元気づけるメッセージであるかについてチェック可能である。
【００１９】
ユーザーデータベース２２７は、後述する、「投稿ユーザー」「サイト閲覧ユーザー」「プレミアム閲覧ユーザー」「おはようメッセージ動画閲覧ユーザー」の各ユーザーのデータが記憶されたデータベースである。
このユーザーデータベース２２７の記憶内容については後述する。
【００２０】
広告データベース２２８は、動画クリップ閲覧時に表示される広告を記憶し、各ユーザーとを関連づけるためのデータベースである。また、後述するＮＰＯ（Ｎｏｎ  Ｐｒｏｆｉｔ  Ｏｒｇａｎｉｚａｔｉｏｎ）、ＮＧＯ（Ｎｏｎ  Ｇｏｖｅｒｎｍｅｎｔａｌ  Ｏｒｇａｎｉｚａｔｉｏｎ）等への寄付等の情報についても、この属性に記載する。
さらに、投稿ユーザーの個人ホームページ（ウェブサイト）のＵＲＬを記憶している。
【００２１】
画像データベース２２９は、動画クリップを記憶・保存するデータベースである。この動画クリップとしては、数秒〜数十分程度のＭＰＧ２／４やＨ．２６４やＨ．２６３等の形式の動画データを、配信用に最適化した形式にトランスコードして、投稿の日付やユーザーＩＤや閲覧数とともに記憶する。なお、静止画と音声のみの画像／音声データを、動画クリップとして扱うことも可能である。
また、おはようメッセージ動画についても同様に記憶している。これらの動画データは、例えば各ファイルについて、動画の投稿日時や名称から作成されるユニークな番号である「クリップＩＤ」を用いて管理する。
さらに、各動画クリップの種別についても記憶している。この種別は、通常の動画クリップ、広告用動画クリップ、おはようメッセージ動画配信用の動画クリップ、リクエスト動画クリップ配信用の動画クリップ、のような動画の種別として、クリップＩＤに埋め込んで記憶することができる。さらに、動画クリップの、カテゴリーやキーワード等についても記憶する。
【００２２】
〔ユーザーデータベース２２７の構成〕
ここで、図３を参照して、ユーザーデータベース２２７の構成について詳しく説明する。
ユーザーデータベース２２７は、例えば、ユーザーＩＤＤ１０１、プロフィールＤ１０２、課金情報Ｄ１０３、投稿履歴Ｄ１０４、閲覧履歴Ｄ１０５、タイマーＤ１０６、ユーザー種別Ｄ１０７、ＵＲＬＤ１０８のような属性を備えている。
【００２３】
ユーザーＩＤＤ１０１は、ユーザーの名称や投稿用のニックネーム等を示すＩＤ（アイデンティフィケーション）を示す属性である。
なお、同一のユーザーが、下記のユーザー種別Ｄ１０７のユーザーの種別により、複数のユーザーＩＤを備えて記憶することも可能である。
【００２４】
プロフィールＤ１０２は、ユーザーが記載した、年齢、性別、趣味、職業、居住地域等の各種の属性を記憶する属性である。
このプロフィールＤ１０２のデータは、閲覧可能な属性だけ、後述する「個人告知ページ」で表示することが可能である。
【００２５】
課金情報Ｄ１０３は、クレジットカード番号、銀行口座、ウェブ通貨、購入ポイント等の課金情報が記載する属性である。
また、後述するように、投稿ユーザーのウェブサイトへの閲覧や、ＮＰＯ、ＮＧＯへの課金が行われた際の課金情報を記憶する。さらに、人気ランキングやアクセス数に応じたポイントについても記憶する。
【００２６】
投稿履歴Ｄ１０４は、ユーザーが投稿した動画の履歴情報を記憶する部位である。
この投稿履歴Ｄ１０４としては、投稿した動画クリップのクリップＩＤと投稿時間等の投稿履歴情報を記憶する属性である。
【００２７】
閲覧履歴Ｄ１０５は、ユーザーが閲覧した動画の履歴情報を記憶する部位である。
この履歴情報としては、クリップＩＤと閲覧日時のような閲覧履歴情報を記憶する属性である。また、「お気に入り」として後述する「マイページ」からアクセス可能な動画クリップのクリップＩＤを記憶しておくこともできる。
【００２８】
タイマーＤ１０６は、後述するおはようメッセージ動画を閲覧可能な時間を設定する属性である。
【００２９】
ユーザー種別Ｄ１０７は、「投稿ユーザー」「サイト閲覧ユーザー」「プレミアム閲覧ユーザー」「おはようメッセージ動画閲覧ユーザー」のような、サーバ２０を利用する各ユーザーの種別（種類）を示すためのフラグである。
各ユーザーは、これらのいずれかの種別のユーザーとして記憶されていてもよく、又は、一つのユーザーＩＤで複数の種別のユーザーとして記憶されていてもよい。
【００３０】
ＵＲＬＤ１０８は、ユーザーの個人ページである「マイページ」のアドレスを記憶する。この際に、バーチャルドメイン名のような省略した形式で記憶可能である。
この「マイページ」では、例えば「投稿ユーザー」の場合は、プロフィールＤ１０２の設定、課金情報Ｄ１０３の設定、閲覧履歴、投稿履歴、課金履歴、ポイントの量、投稿した動画クリップのランキング等を参照することができる。
さらに、有料の投稿者である「有料投稿ユーザー」の場合には、ユーザー自身のウェブサイトへのリンクを貼ることができる「個人告知ページ」のアドレスを記憶できる。この「個人告知ページ」についても、ユーザーデータベース２２７に記憶する。
また、「閲覧ユーザー」「プレミアム閲覧ユーザー」の場合には、「マイページ」において、閲覧履歴Ｄ１０５を参照して、「お気に入り」として保存しておいた動画クリップを閲覧することができる。
さらに、ＵＲＬＤ１０８には、後述するおはようメッセージ動画を閲覧するために、例えば一日毎に配信されるウェブサイトのアドレスを、例えばＵＲＬ形式で記憶する。
【００３１】
〔投稿システムＸの投稿・配信処理〕
次に、本発明の実施の形態に係る投稿システムの動作に係る投稿・配信処理について、図４〜図６を参照して詳しく説明する。
まず、ユーザーは、端末１０のウェブブラウザを用いて、ネットワーク５を介してサーバ２０にアクセスする。この際に、まずはウェブ／メールサーバ部２２１が提供する、記憶部２１０に記憶された図示しない登録画面を用いてユーザー登録を行う。
サーバ２０のウェブ／メールサーバ部２２１は、このユーザー登録の結果を、ユーザーデータベース２２７に記憶する。この際に、ユーザーの種別についても記憶する。
なお、このユーザー登録は、ユーザーが初めてサーバ２０が提供するサイトにアクセスした際に、ウェブ／メールサーバ部２２１が登録画面を表示して行わせることができる。
さらに、ユーザー登録において、後述する有料投稿ユーザーの場合は、個人告知ページを作成することができる。この個人告知ページは、１００字程度で絵文字等も入れて作成可能である。有料投稿ユーザーは、動画クリップを投稿した際に、動画のコメントの文字に加えて、この個人告知ページを参照して表示するように設定可能である。また、この個人告知ページは、有料投稿ユーザー自身が持つ、別のＵＲＬのウェブサイトへのリンクを貼ることが可能である。
なお、このユーザー登録と同様の機能を、「マイページ」にて設定可能である。
【００３２】
（ステップＳ１０１）
まず、投稿／リクエスト部２２５は、動画クリップ投稿処理を行う。
ここでは、「投稿ユーザー」としてユーザー登録を行ったユーザーが、ウェブブラウザを用いて、ウェブ／メールサーバ部２２１を用いてアクセスできるＣＧＩ等である投稿／リクエスト部２２５にて、動画ファイルをアップロードする。
この動画ファイルとしては、例えば、テーマを絞った動画ファイルを投稿することが好適である。本発明の実施の形態に係る投稿システムＸにおいては、例えば、人が人を元気づけたり、勇気づけたり、励ましたり、慰めたり、応援したり、叱ったりする１５秒以下の動画ファイルを用いることができる。この動画ファイルは、携帯電話のカメラ機能、携帯カメラ、ＰＣのウェブカメラ、デジタルカメラ、デジタルビデオカメラ等で作成することが可能である。
本発明の実施の形態に係る投稿システムＸにおいては、テーマに縛りを加え、かつ笑顔・カメラ目線が主体の動画となることから、ストレートに個人の魅力を出すことができる。
この動画ファイルとしては、例えば、「おはよう」「元気出して」「絶対大丈夫」  「大好き」「結構いけてるよ」「すご〜い」「あなたならできる」といった言葉を投稿ユーザーが話している肯定的なメッセージを投稿することができる。
また、年齢により、シニア向けに「おじいちゃん、元気だちて」「ぼくね、自転車乗れるようになったよ」といった言葉のメッセージも投稿可能である。
【００３３】
この際に、投稿ユーザーは、動画クリップに対してキーワードやカテゴリーやコメントを設定し、投稿／リクエスト部２２５はこれを画像データベース２２９に記憶する。このうち、コメントとしては、「閲覧ユーザー」「プレミアム閲覧ユーザー」が動画クリップを閲覧する際に表示される動画クリップや投稿ユーザー自身の説明をする短い文章等を用いることができる。また、後述する「有料投稿ユーザー」の場合には、コメントのみならず、個人告知ページへのＵＲＬへのリンクを設定することができる。
また、カテゴリーとしては、後述する「おはようメッセージ動画配信」用の動画クリップであることを指定することもできる。この場合には、「閲覧ユーザー」「プレミアム閲覧ユーザー」は、通常の時間帯に閲覧することはできず、「おはようメッセージ動画配信」にのみ使用される。また、投稿ユーザーは、この「おはようメッセージ動画配信」用の動画クリップが、閲覧されることで後述するポイントを得ることができる。
また、ユーザーが投稿した動画ファイルが、動画クリップとして配信する動画の形式に合わなかった場合は、例えば、トランスコードや時間の切り詰め等を行うことができる。
さらに、動画クリップに対しては、企業の広告やＮＰＯ、ＮＧＯのロゴなどを入れ込むことも可能である。
投稿／リクエスト部２２５は、このようにユーザーが投稿した動画ファイル、キーワード、カテゴリー、コメント等を、動画クリップとして画像データベース２２９に記憶する。その際に、各動画クリップについて、クリップＩＤを作成して記憶する。
【００３４】
ここで、「投稿ユーザー」の詳細について説明する。
「投稿ユーザー」については、「無料投稿ユーザー」（無料投稿者）と、「有料投稿ユーザー」（有料投稿者）とを、ユーザー登録時に設定して、ウェブ／メールサーバ部２２１がプロフィールＤ１０２や、課金情報Ｄ１０３に記憶する。
【００３５】
「無料投稿ユーザー」は、動画クリップの投稿を行う通常の投稿ユーザーである。この無料投稿ユーザーは、動画クリップを表示する際に「個人告知ページ」へのリンクを張らない場合は無料とすることができる。この際には、サーバ２０の管理者に出資する企業からの企業広告を、各動画クリップに、投稿時や閲覧時に付加して端末１０にて表示する。
逆に、人気ランキングやアクセス数に応じてポイントを獲得し、換金できるようにすることが可能である。これにより、副収入の欲しい若者などの投稿も促す。なお、このポイントの原資についても、企業広告収入等を用いることができる。
【００３６】
「有料投稿ユーザー」は、
・イベントやライブに客を誘引したい劇団員、お笑い、インディーズシンガー
・お店の宣伝と指名獲得をしたい美容師、飲食業等の接客業の店員
・ビジネスコーチ、カウンセラー、インストラクター、塾講師
・タレント志望、新人を売り出したいタレント事務所、子供をタレントにしたい両親
等の手軽に広告を行いたい投稿ユーザーが対象として考えられる。
この有料投稿ユーザーは、投稿料を一定額とすることができる。すなわち、本発明の実施の形態に係る投稿システムＸを、格安の個人広告ツールとして提供することができる。
これにより、広告効果は投資額ではなく動画クリップの魅力次第ということになり、投稿ユーザーが質を競いあうことでサイト全体の質を押し上げることが可能になる。そうすると閲覧ユーザーが増え、広告メディアとしての価値があがる。そして、広告企業や、プレミアム閲覧ユーザーからの収益も拡大させることができる。
【００３７】
このように投稿について構成することで、安価で無尽蔵に生み出せる素人動画で利益をあげることができる。また、企業広告収入のほか  一部の課金する有料投稿ユーザーの広告を行うことで、動画クリップで人柄をさり気なくアピールして個人広告をしたいニーズをとらえることができる。
なお、個人告知ページに対しては、直接ウェブ／メールサーバ部２２１を用いてウェブページとして参照することができ、外部のウェブサイトがリンクを貼ることも可能である。逆に、個人告知ページをウェブページとして参照すると、その有料投稿ユーザーが投稿した動画クリップへのリンクを表示してすぐ閲覧できるように構成することもできる。
【００３８】
（ステップＳ１０２）
次に、マイニング部２２６は、メッセージ判断処理を行う。
マイニング部２２６は、投稿された動画クリップから、まずは、自然言語処理により、投稿ユーザーが記載した投稿の際のコメントに、卑語、猥語、差別用語等の不適切な用語が記載されていないかを判断する。また、いわゆる「スパム」のような、不正な広告用の投稿等でないか、すなわち不正投稿でないかをチェックする。さらに、マイニング部２２６は、動画クリップの音声を音声認識して、テキスト化する。この音声についても不正投稿でないかをチェックする。また、マイニング部２２６は、動画特徴抽出プログラムにより、卑猥な画像等でないかについても記載する。すなわち、画像について、不正投稿でないかをチェックする。なお、この自動のチェックに加えて、サーバ２０の管理者により手動で投稿された動画クリップのチェックをすることも可能である。
さらに、マイニング部２２６は、動画特徴抽出プログラムにより、ヒトの顔等についても認識し、動画ファイルで認識された顔の表情についても認識する。
その後、マイニング部２２６は、コメント、音声認識したテキスト、顔の表情と、投稿ユーザーのプロフィールＤ１０２の内容から、動画ファイルのカテゴリー分けを行う。このカテゴリー分けの情報であるメッセージ判断情報についても、ユーザーの記載したカテゴリーとは別にＸＭＬ等の記述言語を用いた「タグ」のような形式で、画像データベース２２９に記憶する。
【００３９】
（ステップＳ１０３）
ここで、閲覧ユーザーやプレミアム閲覧ユーザーがサーバ２０のウェブサイトに端末１０からアクセスすると、ウェブ／メールサーバ部２２１は、動画クリップ閲覧処理を行う。
この際に、閲覧ユーザーやプレミアム閲覧ユーザーは、メールアドレス等を入力させてログイン処理を行うことができる。この場合は、ユーザーＩＤにより、「マイページ」にアクセス可能である。
また、「ゲスト」として「お気に入り」の保存ができない状態のままアクセスすることも可能である。
【００４０】
図５を参照して、閲覧する動画クリップが端末１０に表示される際の画面例について説明する。
画面例５００は、端末１０の表示部に表示される画像の模式図である。端末１０のウェブブラウザは、ウェブ／メールサーバ部２２１が提供する閲覧用画面をネットワーク５経由で取得して表示し、動画クリップのダウンロード再生／ストリーム再生を行う。
この際に、端末１０のウェブブラウザは、動画クリップを、例えば、端末１０の備える画面全体に表示再生し、下部にコメント５０２を表示する。
コメント５０２は、無料投稿ユーザーの場合は動画投稿時のコメントを表示し、有料投稿ユーザーの場合は「個人告知ページ」を表示可能である。この個人告知ページは、ユーザー自身のウェブサイトへのリンクであるリンク５０５を設定可能である。
また、端末１０のウェブブラウザは、動画クリップに含まれる「大変ですねー」「でもくじけないでくださいね」「応援してますからね」といったメッセージの音声も再生する。
【００４１】
さらに、閲覧ユーザーやプレミアム閲覧ユーザーは、動画クリップを検索して閲覧することができる。
この検索については、各閲覧ユーザーや各プレミアム閲覧ユーザーは：
（１）自分の悩みの状況（失恋、仕事での失敗など）でカテゴリー検索、又は、言って欲しい言葉でキーワード検索し、ぴったりのメッセージを閲覧できる。
（２）暇つぶしに、どのような投稿ユーザーが出演しているか検索することができる。これにより、気に入った投稿ユーザーが近くの美容師だったらお店を変える、劇団員だったら公演を見に行く、などの動機を誘発することができる。
（３）人気ランキング順再生、ランダム再生、地域、年齢、性別、職業、キーワード検索再生、各限定再生などの選択も可能である。
【００４２】
また、ウェブ／メールサーバ部２２１は、上述のように、ユーザーが閲覧した動画クリップのクリップＩＤを、「お気に入り」として閲覧履歴Ｄ１０５に記憶する機能を備えている。「お気に入り」の動画クリップは、通常の閲覧ユーザーは、例えば１０個程度、記憶できる。これに対して、プレミアム閲覧ユーザーは、例えば１００個程度の動画クリップを記憶可能である。
これらの「お気に入り」の動画クリップは、「マイページ」から、閲覧可能である。
【００４３】
なお、動画クリップは、投稿ユーザーが投稿した動画クリップだけではなく、タレント等が出演する動画クリップを、サーバ２０の管理者が提供することもできる。
【００４４】
（ステップＳ１０４）
次に、履歴計算部２２４は、履歴作成処理を行う。
この履歴作成処理としては、各閲覧ユーザー、各プレミアム閲覧ユーザー毎に、閲覧履歴を作成して、ユーザーデータベース２２７の該当するユーザーの閲覧履歴Ｄ１０５に記憶する。
さらに、履歴計算部２２４は、各閲覧ユーザー、各プレミアム閲覧ユーザーの閲覧した動画クリップの履歴を、画像データベース２２９に記憶する。
【００４５】
（ステップＳ１０５）
次に、履歴計算部２２４は、閲覧した動画クリップの履歴から、ランキング計算処理を行う。
履歴計算部２２４は、各投稿ユーザーや各有料投稿ユーザーが閲覧した動画クリップの履歴から、動画の閲覧ランキングを計算する。
さらに、マイニング部２２６は、行動ターゲッティング処理や統計処理等により、各投稿ユーザーや各有料投稿ユーザーの閲覧傾向と、動画クリップの閲覧ランキングとの関係を計算する。これにより、例えば、同じような動画クリップを閲覧しているユーザー同士で、他に見ていない動画クリップを「推薦」することができる。
【００４６】
（ステップＳ１０６）
次に、ＵＲＬ配信部２２２は、おはようメッセージ動画配信処理を行う。
このおはようメッセージ動画配信処理は、おはようメッセージ用の動画クリップを利用する有料の閲覧ユーザーであるおはようメッセージ動画閲覧ユーザー（以下、おはようメッセージユーザーと呼ぶ。）に対して、同ユーザー指定の時間帯にのみ閲覧可能な動画クリップのＵＲＬを配信する処理である。
この「おはようメッセージ動画配信」は、端末１０に対して電子メール等にて、おはようメッセージ動画配信用の動画クリップを閲覧可能なＵＲＬが日替わりで届くサービスである。
なお、こののＵＲＬは、日替わりで変動するＵＲＬではなく「マイページ」のように、ユーザーＩＤ毎に固定されたＵＲＬをあらかじめ伝えておくこともできる。これにより、素早くその日のおはようメッセージ動画にアクセス可能であるという効果が得られる。
【００４７】
図６を参照すると、おはようメッセージ動画配信用の動画クリップが端末１０に表示される際の画面例６００である。
おはようメッセージユーザーが図示しない電子メールのＵＲＬをクリックしたことを検知すると、端末１０のウェブブラウザは、画面例６００のように、ユーザーの起床時に好適な感情を得られるような動画クリップを、サーバ２０のウェブ／メールサーバ部２２１からダウンロード再生／ストリーム再生を行う。
このおはようメッセージ動画配信のためのＵＲＬは、ＵＲＬ配信部２２２が、例えば日替わりでランダムにサブドメイン等として作成し、ウェブ／メールサーバ部２２１を用いて配信する。
この配信されたＵＲＬは、ユーザーが設定してタイマーＤ１０６に設定した時刻から所定時間しか見られないように構成する。この方法としては、例えば、電子メールを指定時刻に到着させ、到着後５分以内しか見られない等の方法を用いることができる。また、電子メールのサーバの遅延等を考慮して、先にメールを送信しておき、配信されたＵＲＬでアクセスするウェブサイトに埋め込まれたスクリプトや、サーバ２０のタイマーによる操作等により、そのおはようメッセージユーザーが設定した時間だけ、動画クリップを配信するようにすることもできる。
この設定された時間以外におはようメッセージユーザーが配信されたＵＲＬアクセスすると、「残念！  起床時刻を過ぎています」「タイマー設定された時間ではありません」といったエラーメッセージを表示したり、テレビジョン放送の砂嵐のような画面を表示したり、環境ビデオ的な画像クリップを表示することができる。
これにより、おはようメッセージユーザーに「今日の出演者は誰かな（どんな投稿ユーザーかな）？」と毎朝の楽しみを与え、時間どおりに起床したい動機付けとすることができる。
なお、画面例６００から、おはようメッセージ動画の動画クリップを作成した投稿ユーザーの他の動画クリップにアクセス可能である。例えば、画面例５００の動画クリップにアクセスできる。また、「マイページ」で参照する閲覧履歴から、同様にアクセス可能である。
【００４８】
また、このおはようメッセージ用の動画クリップは、「おはようメッセージ動画配信」用のカテゴリーの動画クリップの中から、上述の閲覧ランキングの上位のものを選択して配信することができる。この際に、上述の行動ターゲッティング等の処理により、「推薦」する動画クリップの投稿ユーザーの投稿した、おはようメッセージ動画配信用の動画クリップを優先して選択することができる。
すなわち、該当するおはようメッセージユーザーと、同様の動画クリップを見ている閲覧ユーザー又はプレミアム閲覧ユーザーは、同様の動画クリップの好みを持つと考えられる。よって、まだ見ていないユーザーＩＤの投稿ユーザーについても、好ましく感じる可能性がある。このため、その投稿ユーザーのランキングを高めることができるという効果が得られる。
なお、有料投稿ユーザーの場合は、別途支払いを行うことで、よりおはようメッセージ動画配信に採用される確率を高めるサービスも提供することができる。
また、おはようメッセージ用のＵＲＬを電子メールで配信する以外の構成も可能である。たとえば、ＵＲＬではなく、動画クリップのファイルそのものを電子メールで配信することもできる。また、端末１０上に専用プログラムを配信し、このプログラムが「目覚まし」機能を備えており、所定時間に設定すると、おはようメッセージ用動画クリップをダウンロード／ストリーミング視聴するといった構成が可能である。
【００４９】
（ステップＳ１０６）
また、投稿／リクエスト部２２５は、リクエスト動画クリップ配信処理を行う。
上述のように、閲覧ユーザーやプレミアム閲覧ユーザーは、「お気に入り」の動画クリップを記憶する機能を備えている。また、閲覧ユーザーやプレミアム閲覧ユーザーは、気に入った動画クリップの投稿ユーザーのユーザーＩＤを検索することも可能である。
そして、閲覧ユーザーやプレミアム閲覧ユーザーは、閲覧者が気に入った投稿者に、有料で自分専用のメッセージをリクエストすることができる。
この際に、投稿／リクエスト部２２５は、専用のフォームを表示することができ、１メッセージいくらと、あらかじめ投稿者が固定額を掲示しておいたり、又はウェブオークションにより金額が決定する方法でリクエストを募ることができる。
このようなリクエストが送信されると、ウェブ／メールサーバ部２２１は、該投稿ユーザーにリクエストがあった旨の電子メールを送信し、「マイページ」で告知する。
これにより、該投稿ユーザーは、リクエストした閲覧ユーザーの名前で呼びかける動画クリップを作成して投稿するか、又は、拒否する旨の連絡を、投稿／リクエスト部２２５を用いて行う。
ウェブ／メールサーバ部２２１は、投稿された動画クリップをダウンロードはできなくし、閲覧期限も１週間等と限定して、ストリーミングで送信することができる。これにより、画像流出等に配慮して、個人用の「元気のでる」メッセージを送信できる。
閲覧ユーザーやプレミアム閲覧ユーザーは、これにより、ユーザー自身の名前で呼びかけてくれる、自分の状況に合わせたメッセージを閲覧することができる。
また、投稿ユーザーにとっても、小遣い稼ぎになるので、投稿ユーザーを増やすことができる。
以上により投稿システムＸの投稿・配信処理を終了する。
【００５０】
なお、このおはようメッセージ用の動画クリップを含む動画クリップは、投稿ユーザーのみならず、サーバ２０の管理者が依頼して作成してもらうことも可能である。
この際には、ランキング上位者に出演依頼したり、出演することでサイトでの人気がますます上がるので無料での出演依頼をすることもできる。この際に、特にタレント志望者からは、お金を払ってでも出演したいニーズがあると考えられる。
さらに、ユーザー以外の動画クリップ作成依頼処理として、活躍しているタレントに動画クリップの作成を依頼することができる。また、ＮＰＯ、ＮＧＯ支援活動としての動画クリップの作成を依頼することも可能である。さらに、これを発展させて国際救援活動支援を行うこともできる。
以下で、これらのユーザー以外の動画クリップ作成依頼処理の説明を行う。
【００５１】
〔タレント動画サイト作成処理〕
タレントに直接、起されたり、励まされたり怒られたりしたいニーズに応えるために、出演依頼を行うことができる。この際には、通常の閲覧ユーザーでも閲覧可能な無料キャンペーンにて、興味を惹くことができる。また、アニメ・ドラマの元気の出るシーンを切り出したものも動画クリップとして掲載可能である。
このタレントの出演者としては、お笑い、シンガー、グラビアアイドル、俳優女優、実業家、アスリート、スポーツ選手、格闘家、その他タレントに依頼することができる。
作成してもらう動画クリップは、その出演者の特性を現すようなものとする。たとえば、「気合だ！  気合だ！  気合だ！」「だ〜い好き！」「元気ですかー！  元気があれば何でもできる。」「てめ〜男だろ！しっかりしろよ！」、と出演者が語る動画クリップを作成可能である。
また、アニメ・ドラマの登場人物による動画クリップの場合は、「立て〜！  立つんだジョ〜！」「逃げるわけにいかねーんだってばよ」といった動画クリップを、実写画像やアニメーション等で表現可能である。
この際には、後述のＮＰＯ、ＮＧＯ活動支援や、将来、国際貧困対策が目的と説明して、無償または低ギャラで出演依頼を行うことができる。
【００５２】
〔国内ＮＰＯ、ＮＧＯ活動支援処理〕
また、国内の国内ＮＰＯ、ＮＧＯ活動支援に活用することができる。
この場合は、各ＮＰＯ、ＮＧＯがそのスタッフ、ボランティア等を使って投稿、そのＮＰＯ所属の動画クリップ閲覧回数に応じて企業広告料の一部をＮＰＯに還元することが可能である。
さらに、あるＮＰＯ、ＮＧＯに賛同する個人が、自分の動画クリップをそのＮＰＯ、ＮＧＯに寄付するように設定することもできる。すなわち、その動画クリップで得た広告料をそのＮＰＯ、ＮＧＯに寄付することができる。
この場合は、その投稿ユーザーである個人のユーザーＩＤの課金情報Ｄ１０３を用いて寄付の設定を行い、投稿された動画クリップに該ＮＰＯ、ＮＧＯのマーク等を付与して表示することができる。
【００５３】
〔国際救援活動支援処理〕
次に、国際的に活動するＮＰＯ、ＮＧＯに対しても、活動支援を行うことができる。
この活動支援としては、国内ＮＰＯ、ＮＧＯ活動支援処理と同様に行うことができる。
また、グラミン銀行等のマイクロファイナンス組織が、貸し付けている自立志向の貧困者の元気メッセージビデオクリップ撮影を行い、その投稿ユーザーの全投稿のアクセス数に応じた金額で利子を補填させるなどの直接個人への支援を行うことができる。
動画クリップを見ることが貧しい人を救うことになるので、先進国での閲覧回数増が期待できる。また、自分よりずっと状況の悪い人に励まされると、より元気になりやすいという効果が得られる。
さらに、「与えるだけでなく元気をもらう」というフェアな仕組みは多くの賛同者を得やすい。また世界の実態を、当事者の動画クリップを見ることで実感でき、世界的な救済機運を高められる。
【００５４】
この際に、他国人の投稿を見る場合、言葉がわからないのに閲覧するのかについては、マイニング部２２６により、音声のテキストやコメント等を、機械翻訳を行って対応することもできる。さらに、外国からの投稿であることを、サーバ２０の管理者に通知して、サーバ２０の管理者が設定したボランティアの翻訳者に翻訳をウェブ／メールサーバ部２２１から依頼することができる。
また、意味が分からなくても、動画クリップの出演者の情熱や気持ちについて、感情的に理解可能であると考えられる。これにより、閲覧したユーザーを、感情的に鼓舞することも可能である。具体的に、ウェブ上のアンケートにおいても、このような海外動画クリップを「興味を持って見る」というユーザーが全体の２６％だったというデータを得ている（図示せず）。
【００５５】
このように国際貢献を行うことで、中・先進国に展開し、世界の「気分」を変えていくムーブメントとすることができる。
すなわち、国のイメージで見ると不信感を抱いている場合でも、その国の個人には意外に好感を持つことが多い。
たとえば、政策的な点で、国際的に他の国から非難されがちな国が存在する。そのような国から留学している留学生に会って見ると、実は、礼儀正しくしっかりした考えの人であることが考えられる。
国際的な不信感は、個人が笑顔を見せ会うことで大部分を解消することができると期待されるため、本発明の実施の形態に係る投稿システムは、そのような動機付けを行うことができる。すなわち、国際紛争を続ける「気分」を阻害して、世界を「元気」にすることが可能となる。
【００５６】
以上のように構成することで、以下のような効果を得ることができる。
まず、従来の画像投稿システムにおいては、違法動画を削除することは容易であるものの、投稿システムのサイト内で、投稿ユーザーの動画へのアクセスを向上させる手段がなかった。このために、閲覧ユーザーのアクセスを向上させるためには、各投稿ユーザーの動画クリップを閲覧してもらうためには、投稿システムのサイト外の「盛り上がり」等により動画クリップの人気を上げる必要があった。このため、投稿ユーザーにとって、どうやれば動画クリップのアクセスを上げるかが分かりにくいという問題があった。
これに対して、本発明の実施の形態に係る投稿システムＸにおいては、閲覧ユーザーが設定した時間にのみ閲覧可能な「おはようメッセージ用」動画クリップにアクセスするためのＵＲＬを送信することができる。これにより、「おはようメッセージ用」動画クリップを作成した投稿ユーザーの動画クリップに、閲覧ユーザーがアクセスするための動機付けをすることができる。また、おはようメッセージ用動画クリップを閲覧することで、閲覧ユーザーやプレミアム閲覧ユーザーのアクセスを向上することもできる。
また、本発明の実施の形態に係る投稿システムＸにおいては、おはようメッセージユーザー向けに「おはようメッセージ用」動画クリップを選択する際に、行動ターゲッティングにより、まだ閲覧していないものの同様の好みのユーザーを選択することができる。これにより、投稿ユーザーの動画クリップのランキングを上げることができ、投稿システムＸの投稿、閲覧を盛り上げることができる。
さらに、サイト内での投稿ユーザーのランキングを確実に把握できるために、人気出演者を募って朝寝坊の特に単身者向けにおはようメッセージ動画配信を行うことができる。
【００５７】
また、専門のＴＶタレントの魅力は凡人離れしている場合があるが、ちょっと魅力のある素人なら街角で見かけることもある。
本発明の実施の形態に係る投稿システムＸにおいては、これらの魅力のある素人を、動画クリップの投稿ユーザーとして集めて価値づけできるという効果が得られる。
この際に、人が人を元気づけたり、勇気づけたり、励ましたり、慰めたり、応援したり、叱ったりする短い動画ファイルを投稿に用いることで、より素人の投稿ユーザーの魅力を高めることができる。
すなわち、閲覧ユーザーにとっては：
・好みの異性からのポジティブメッセージ動画は見たい、という感情的な要求が強くはたらく
・動画クリップのようなメッセージは、閲覧者の潜在意識に働きかけやすい。すなわち、ピタッとハマると、こころに響く
といった効果を得ることができる。
また、リクエスト動画クリップ配信により、各閲覧ユーザーや各プレミアム閲覧ユーザーの名前を呼ぶ個人的なメッセージにより、更に励まされるという効果が得られる。
【００５８】
また、人の心に占める善意の割合は小さい可能性もあるが、ゼロではないことは確かである。
本発明の実施の形態に係る投稿システムＸにおいては、この善意のかけらをネットワーク５により集めて、大きな力にすることができる。このために、人が人を元気づけたり、勇気づけたり、励ましたり、慰めたり、応援したり、叱ったりする短い動画クリップを集積・検索・投稿することができる。
また、本発明の実施の形態に係る投稿システムＸにおいては、適切な動画ファイルであることを、人工知能的、統計的手法によりチェック可能である。すなわち、人が人を元気づけたり、勇気づけたり、励ましたり、慰めたり、応援したり、叱ったりする動画クリップであることを、マイニング部２２６により半自動的に検索することができる。
また、テーマに縛りを加えること、かつ笑顔・カメラ目線が主体の動画となることから、ストレートに個人の魅力をだし、アクセスの頻度を上げることができる。
【００５９】
また、本発明の実施の形態に係る投稿システムＸにおいては、投稿ユーザーの個人宣伝のニーズを満たし、宣伝サイトへのリンクを有料で許可することができる。しかしながら、テーマに縛りがあるために、動画クリップ自体からは、いわゆる「商売臭さ」を排除できる。
【００６０】
また、本発明の実施の形態に係る投稿システムＸにおいては、動画クリップのランキングを計算することができ、人気出演者を募って朝寝坊の特に単身者向けにおはようメッセージ動画配信を行うことができる。
その後、複数の動画クリップをパッケージにした「失恋に効く１００メッセージ（男性用）」等のコンピレーションＤＶＤ発売等の２次利用に展開することができる。
すなわち、ＣＭやドラマにぴったりの素人を発掘する簡易ツールとして企業やプロダクションが利用することができる。
【００６１】
また、本発明の実施の形態に係る投稿システムＸにおいては、前記アドレス配信手段は、所定の期間毎に、前記閲覧履歴にない動画データを閲覧するための前記アドレスを配信することを特徴とする。
【００６２】
なお、上記実施の形態の構成及び動作は例であって、本発明の趣旨を逸脱しない範囲で適宜変更して実行することができることは言うまでもない。
【産業上の利用可能性】
【００６３】
投稿システムにおいて、閲覧ユーザーが設定した時間のみアクセスできる動画クリップを配信することで、アクセス数を増やして広告収入を増やせる投稿システムを提供することができる。
【符号の説明】
【００６４】
５  ネットワーク
１０  端末
２０  サーバ
２００  制御部
２１０  記憶部
２２１  ウェブ／メールサーバ部
２２２  ＵＲＬ配信部
２２３  時間指定部
２２４  履歴計算部
２２５  投稿／リクエスト部
２２６  マイニング部
２２７  ユーザーデータベース
２２８  広告データベース
２２９  画像データベース
２３０  チップセット
２４０  ネットワーク接続部
２５０  表示部
２６０  入力部
５００、６００  画面例
５０２  コメント
５０５  リンク
Ｘ  投稿システム
【図１】
2010211513.tif 000003
【図２】
2010211513.tif 000004
【図３】
2010211513.tif 000005
【図４】
2010211513.tif 000006
【図５】
2010211513.tif 000007
【図６】
2010211513.tif 000008